(57)【特許請求の範囲】
【請求項１】
撮像素子及び画像表示装置を有し、前記撮像素子によって撮像された像を前記画像表示装置にライブビュー表示として表示可能であって、かつ前記ライブビュー表示中に第１の露出条件を算出し、当該第１の露出条件において撮像された画像を記録可能なカメラであって、
前記ライブビュー表示中に、前記ライブビュー表示の一部を拡大して前記画像表示装置に表示し、当該ライブビューの拡大表示中に所定操作により明るさの変更を実行する拡大表示用露出制御部と、
前記拡大表示中の前記ライブビューの前記明るさの変更が実行されている際に撮影指示が成された場合、前記第１の露出条件で撮影を行う制御部と、
を有することを特徴とするカメラ。
【請求項２】
前記拡大表示用露出制御部による前記明るさの変更は、当該カメラによって記録される画像の前記第１の露出条件の算出とは独立して設定した第２の露出条件を適用することを特徴とする請求項１に記載のカメラ。
【請求項３】
前記制御部は、前記ライブビューの拡大表示を前記第２の露出条件を適用して表示している際に、撮影指示が成された場合、拡大表示中の画像を前記第２の露出条件によって撮影し、前記第１の露出条件によって撮像された画像に前記第２の露出条件によって撮像された画像を合成した合成画像を生成する、または部分動画の撮影を行うことを特徴とする請求項２に記載のカメラ。
【請求項４】
前記ライブビューの拡大表示は、当該カメラのマニュアルフォーカス動作時に実行可能であることを特徴とする請求項２に記載のカメラ。
【発明の詳細な説明】
【技術分野】
【０００１】
本発明は、画像表示装置にライブビュー表示が可能なカメラに関する。
【背景技術】
【０００２】
デジタルカメラやデジタルビデオカメラ等のカメラは、画像表示装置を備え、当該画像表示装置に被写体のスルー画像を表示するライブビュー表示動作が可能な形態のものが一般的である。ライブビュー表示可能なカメラでは、例えば特開２０１１−１０９６９５号公報に開示されているように、合焦状態の確認のために、視野の一部を拡大して表示することが可能である。
【先行技術文献】
【特許文献】
【０００３】
【特許文献１】特開２０１１−１０９６９５号公報
【発明の概要】
【発明が解決しようとする課題】
【０００４】
カメラのライブビュー表示は、撮影に用いる露出条件に応じて、明るさやホワイトバランスが変化する。しかし、使用者が意図した露出条件において、使用者が合焦させたい被写体がライブビュー表示において視認しやすい明るさで表示されるとは限らない。例えば、主要被写体が白く、この主要被写体を露出過多の露出条件で撮影したい場合には、ライブビュー表示においても主要被写体が白飛びした状態で表示されてしまうため、合焦状態の確認が困難となる。合焦状態の確認のために露出条件を変更すれば、合焦状態の確認は容易となるが、撮影する場合には露出条件を戻す操作をしなければならず、素早く撮影ができない。
【０００５】
本発明は、上述した点に鑑みてなされたものであって、ライブビュー表示における合焦状態の確認が容易であり、素早く撮影を行うことができるカメラを提供することを目的とする。
【課題を解決するための手段】
【０００６】
本発明に係るカメラは、撮像素子及び画像表示装置を有し、前記撮像素子によって撮像された像を前記画像表示装置にライブビュー表示として表示可能であって、かつ前記ライブビュー表示中に第１の露出条件を算出し、当該第１の露出条件において撮像された画像を記録可能なカメラであって、前記ライブビュー表示中に、前記ライブビュー表示の一部を拡大して前記画像表示装置に表示し、当該ライブビューの拡大表示中に所定操作により明るさの変更を実行する拡大表示用露出制御部と、前記拡大表示中の前記ライブビューの前記明るさの変更が実行されている際に撮影指示が成された場合、前記第１の露出条件で撮影を行う制御部と、を有することを特徴とする。
【発明の効果】
【０００７】
本発明によれば、ライブビュー表示における合焦状態の確認が容易であり、素早く撮影を行うことができるカメラを実現できる。
【図面の簡単な説明】
【０００８】
【図１】カメラを背面側から見た斜視図である。
【図２】カメラのブロック構成図である。
【図３】第１の実施形態のカメラの動作のフローチャートである。
【図４】第１の実施形態のカメラの動作のフローチャートである。
【図５】ライブビュー表示の一例を示す図である。
【図６】ライブビュー表示の拡大表示の一例を示す図である。
【図７】拡大表示画質変更処理を実行した場合の一例を示す図である。
【図８】レックビューの一例を示す図である。
【図９】レックビューにおける拡大表示の一例を示す図である。
【図１０】第２の実施形態のカメラの動作のフローチャートである。
【図１１】第２の実施形態のカメラの動作のフローチャートである。
【図１２】第２の実施形態のライブビュー表示の拡大表示の一例を示す図である。
【図１３】第３の実施形態のカメラの動作のフローチャートである。
【図１４】第３の実施形態のカメラの動作のフローチャートである。
【発明を実施するための形態】
【０００９】
以下に、本発明の好ましい形態について図面を参照して説明する。なお、以下の説明に用いる各図においては、各構成要素を図面上で認識可能な程度の大きさとするため、各構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１０】
（第１の実施形態）  
本実施形態のカメラ１は、一般に電子カメラ、デジタルカメラ等と称される形態の撮像装置に本発明を適用したものである。図１に示す本実施形態のカメラ１は、被写体の光学像を結像する撮像レンズ２の結像面に配設された撮像素子１１を含み、撮像素子１１によって得られる電気信号を静止画像又は動画像を表わすデジタル画像データに変換して記録可能に構成されている。撮像素子１１は、ＣＣＤやＣＭＯＳセンサ等のイメージセンサである。
【００１１】
本実施形態では一例として、カメラ１は、いわゆるレンズ交換式のカメラであり、撮像レンズ２とカメラ本体１０とが離合可能に構成されている。なお、カメラ１は、撮像レンズ２とカメラ本体１０とが一体である形態であってもよい。
【００１２】
図１に示すように、カメラ本体１０の背面部には、画像を表示可能な液晶表示装置又は有機ＥＬ表示装置等からなる画像表示装置１４が配設されている。また、画像表示装置１４の表示画面上には、タッチパネル１５が配設されている。カメラ１は、このタッチパネル１５によって、画像表示装置１４の表示画面上において使用者が触れた座標を認識することが可能である。
【００１３】
また、本実施形態のカメラ１は、背面に設けられた画像表示装置１４の他に、電子ビューファインダ１６を備えている。電子ビューファインダ１６は、小型の画像表示装置と、使用者が覗き込むことで当該画像表示装置を視認可能とする接眼レンズとを有して構成されている。また、電子ビューファインダ１６には、使用者が電子ビューファインダ１６を覗き込んでいるか否かを判定可能な近接センサ１７が配設されている。例えば、使用者が電子ビューファインダ１６を覗き込んでいる場合には、カメラ１は画像表示装置１４の動作を停止し、電子ビューファインダ１６に画像を表示する。また、使用者が電子ビューファインダ１６を覗き込むことをやめた場合には、カメラ１は電子ビューファインダ１６の動作を停止し、画像表示装置１４に画像を表示する。
【００１４】
また、カメラ本体１０には、レリーズスイッチ１２及び操作部材１３が設けられている。操作部材１３は、ボタンスイッチやダイヤルスイッチ等からなり、使用者がカメラ１に対して露出の変更や動作モードの変更等の操作指示を入力することが可能に構成されている。
【００１５】
図示しないが、撮影レンズ２にもレバースイッチ又はリング状の操作部材が設けられている。撮影レンズ２に設けられた操作部材は、合焦距離の変更やズーム倍率の変更等の操作指示を入力することが可能に構成されている。なお、撮影レンズ２を操作するための操作部材は、カメラ本体１０に設けられる形態であってもよい。また、撮影レンズ２は、これらの操作部材を持たない形態であってもよい。
【００１６】
また、図示しないが、カメラ本体１０内には、カメラ１に電力を供給する１次電池又は２次電池を収容する電池収容室や、カメラ１が撮影した静止画像及び動画像を記録するフラッシュメモリ等の記録媒体を収容する記録媒体収容室が設けられている。なお、２次電池及び記録媒体は、カメラ本体１０内に内蔵される形態であってもよい。
【００１７】
以上のような本実施形態のカメラ１が撮影動作モードである場合には、画像表示装置１４には、撮像素子１１上に結像される像のスルー画像及びグラフィカル・ユーザ・インターフェースが表示される。このカメラ１が撮影動作モードである場合においてスルー画像を表示する動作を、ライブビュー表示と称する。使用者は、ライブビュー表示を見ながら、タッチパネル１５や操作部材１３を使用することで、撮影の構図、合焦距離及び露出等の撮影条件を決定することができる。
【００１８】
また、カメラ１が撮影動作モードであって、静止画像を撮影し記録した場合には、画像表示装置１４には、使用者が撮影結果を確認できるように所定の時間だけ記録した画像が表示される。この静止画像の撮影後に撮影結果を表示する動作を、レックビュー表示と称する。
【００１９】
図２は、本実施形態のカメラ１の内部構成の概略を示すブロック図である。前述したように、撮像レンズ２には、被写体の光学像を結像する撮像光学系部材２１が配設されている。撮像光学系部材２１には、レンズの他に可変絞り２１ａも含まれている。本実施形態では一例として、撮像レンズ２は電動フォーカス動作及び電動ズーム動作が可能に構成されており、撮像光学系部材２１は、電動アクチュエータによって動作可能なフォーカシングレンズ２１ｂ及びズーミングレンズ２１ｃを有して構成されている。可変絞り２１ａ、フォーカシングレンズ２１ｂ及びズーミングレンズ２１ｃの動作は、レンズ・絞り駆動制御部２２によって制御される。
【００２０】
また、前述のように、撮像レンズ２には、レバースイッチ又はリング状のスイッチからなる操作部材２３が配設されている。レンズ・絞り駆動制御部２２は、通信部２４を介してカメラ本体１０の制御部３１と通信可能に構成されており、カメラ本体１０の制御部３１と協調して撮像レンズ２の動作を制御する。
【００２１】
カメラ本体１０には、制御部３１が配設されている。制御部３１は、演算装置、記憶装置、入出力装置及び電力制御装置等を有して構成されており、カメラ１の各部の動作を、所定のプログラムに基づいて制御する。また、制御部３１は、レリーズスイッチ１２、操作部材１３及びタッチパネル１５の操作状態を検出可能に構成されている。
【００２２】
制御部３１には、画像処理を行うための画像処理部３２が設けられている。なお、画像処理部３２の制御部３１への実装は、画像処理用の演算ハードウェアを搭載するハードウェア的な形態であってもよいし、制御部３１の演算装置が所定の画像処理プログラムに基づいて画像処理を行うソフトウェア的な形態であってもよい。また、制御部３１には、画像表示装置１４及び電子ビューファインダ１６の動作を制御する表示制御部３３が設けられている。
【００２３】
また、制御部３１には、拡大表示用露出制御部３６が設けられている。拡大表示用露出制御部３６は、後述するライブビュー表示の拡大表示に所定の画像処理を施すことが可能に構成されている。
【００２４】
次に、本実施形態のカメラ１の動作について、図３及び図４に示すフローチャートを参照して説明する。以下に説明するカメラ１の動作は、制御部３１によって行われる。カメラ１の電源投入後は、制御部３１は、カメラ１を構成する各構成の初期化動作を行った後に、図３及び図４に示す動作を実行する。
【００２５】
まずステップＳ０１において、カメラ１の電源を切るための電源オフの指示入力がなされたか否かを判定する。ステップＳ０１の判定において、電源オフの指示入力がなされたと判定した場合には、ステップＳ４０に移行し、カメラ１の電源を切るための終了処理を実行する。
【００２６】
ステップＳ０１の判定において電源オフの指示入力がなされていないと判定した場合には、ステップＳ０２へ移行する。カメラ１は、ステップＳ０１の判定において電源オフの指示入力がなされたとの判定が行われるまでは、以下に説明する処理を繰り返す。
【００２７】
ステップＳ０２においては、カメラ１の動作モードとして、撮影動作モードを指定する指示が入力されているか否かを判定する。ステップＳ０２において、撮影動作モードが指定されていないと判定した場合には、ステップＳ４１に移行し、記録した静止画像及び動画像を画像表示装置１４に表示する、再生動作を実行する。
【００２８】
一方、ステップＳ０２において、カメラ１の動作モードとして撮影動作モードが指定されていると判定した場合には、ステップＳ０３へ移行する。ステップＳ０３では、カメラ本体１０と撮像レンズ２との通信を行い、撮像レンズ２の焦点距離等の情報を取得する。
【００２９】
次に、ステップＳ０４において、ライブビュー表示動作を開始する。そして、ステップＳ０５において、撮像素子からの画像信号や撮像レンズ２の情報等に基づいて、シャッタ速度、絞り値、感度及びホワイトバランス等の第１露出条件を算出する。また、ステップＳ０５の実行により、画像表示装置１４に表示されるライブビュー表示は、第１露出条件の算出結果に応じた適正な露出のものに変更される。図５は、画像表示装置１４にライブビュー表示が表示された状態の例を示している。
【００３０】
次に、ステップＳ０６において、カメラ１の合焦動作モードとして、マニュアルフォーカス動作モード（ＭＦモード）を指定する指示が入力されているか否かを判定する。ステップＳ０６において、マニュアルフォーカス動作モードが指定されていないと判定した場合には、ステップＳ０７へ移行し、オートフォーカス動作（ＡＦ）を実行する。そして、ステップＳ０７の実行後、レリーズスイッチ１２が押されたと判定した場合（ステップＳ３０のＹＥＳ）には、第１露出条件で撮影を実行して画像を記録し、ステップＳ０１へ戻る。また、ステップＳ０７の実行後、レリーズスイッチ１２が押されていないと判定した場合（ステップＳ３０のＮＯ）には、ステップＳ０１へ戻る。
【００３１】
なお、ステップＳ３０における使用者からの撮影の指示入力が成されたか否かの判定は、レリーズスイッチ１２が押下されたか否かのみによって行われる形態に限られない。例えば、図５に示すように、画像表示装置１４に表示された「撮影」アイコン５１が押されたとタッチパネル１５からの入力に基づいて制御部３１が認識した場合にも、使用者からの撮影の指示入力が成されたと判定する形態であってもよい。
【００３２】
一方、ステップＳ０６において、マニュアルフォーカス動作モードが指定されていると判定した場合には、ステップＳ１０へ移行する。ステップＳ１０では、ライブビュー表示を縮小表示する指示が入力されたか否かを判定する。
【００３３】
ここで、ライブビュー表示の縮小表示とは、後述するライブビュー表示の拡大表示と対になる動作である。ライブビュー表示の拡大表示とは、画像表示装置１４に表示するライブビュー表示の倍率を上げて、カメラ１の視野内の特定の拡大表示領域５４を拡大して表示する動作である。また、ライブビュー表示の縮小表示とは、画像表示装置１４に表示するライブビュー表示の倍率を最低にして、カメラ１の視野の全体を表示する動作である。この、ライブビュー表示の拡大表示及び縮小表示の指示入力は、例えば操作部材１３やタッチパネル１５を介して行われる。本実施形態では一例として、図５に示すように、画像表示装置１４に表示された「拡大」アイコン５２及び「縮小」アイコン５３を使用者が押すことによって、ライブビュー表示の拡大表示及び縮小表示の指示入力が成される。
【００３４】
ステップＳ１０の判定において、ライブビュー表示を縮小表示する指示が入力されたと判定した場合には、ステップＳ１１へ移行し、画像表示装置１４に表示するライブビュー表示の倍率を最低にしてカメラ１の視野の全体を表示させる。なお、既に縮小表示状態である場合には、ステップＳ１１が実行されても画像表示装置１４の表示は変化しない。ステップＳ１１の実行後、ステップＳ１２において、撮像レンズ２の操作部材２３によるマニュアルフォーカス動作を実行する。そして、ステップＳ１２の実行後、レリーズスイッチ１２が押されたと判定した場合（ステップＳ３０のＹＥＳ）には、第１露出条件で撮影を実行して画像を記録媒体３４に記録し、ステップＳ０１へ戻る。また、ステップＳ１２の実行後、レリーズスイッチ１２が押されていないと判定した場合（ステップＳ３０のＮＯ）には、ステップＳ０１へ戻る。
【００３５】
一方、ステップＳ１０の判定において、ライブビュー表示を縮小表示する指示が入力されていないと判定した場合には、ステップＳ２０へ移行し、画像表示装置１４に表示するライブビュー表示を拡大表示する指示が入力されたか否かを判定する。
【００３６】
ステップＳ２０の判定において、ライブビュー表示を拡大表示する指示が入力されたと判定した場合には、ステップＳ２１へ移行し、画像表示装置１４に表示するライブビュー表示の倍率を上げて、カメラ１の視野内の特定の拡大表示領域５４を拡大して表示させる。拡大表示は、画像処理部３２及び表示制御部３３によって行われる。図６は、ステップＳ２１が実行され、画像表示装置１４の表示が、ライブビュー表示の拡大表示である状態を示している。なお、拡大表示する領域は、予め定められた領域であってもよいし、例えば使用者がタッチパネル１５に触れた領域であってもよい。ライブビュー表示の拡大表示が既に実行済みである場合には、ステップＳ２１の実行によって、拡大倍率がさらに上がる、もしくは表示倍率はそのままとなる。
【００３７】
本実施形態ではステップＳ２１の実行によるライブビュー表示の拡大表示に伴い、図６に示すように、画像表示装置１４に、「拡大表示画質変更」アイコン５５が表示される。「拡大表示画質変更」アイコン５５は、後述する拡大表示画質変更処理の実施の指示を入力するためのものである。拡大表示画質変更処理は、本実施形態では、ライブビュー表示を拡大表示の明るさを変更する処理である。拡大表示画質変更処理は、拡大表示用露出制御部３６、画像処理部３２及び表示制御部３３によって行われる。
【００３８】
ステップＳ２１の実行後、ステップＳ２２において、拡大表示画質の変更を指示する入力がなされたか否かを判定する。ステップＳ２２において、拡大表示画質の変更を指示する入力がなされたと判定した場合には、ステップＳ２３において、画像表示装置１４に表示中のライブビュー表示の拡大表示について、指示に応じた画質の変更を実施する。
【００３９】
ここで、本実施形態では、「拡大表示画質変更」アイコン５５が押されたか否かに基づいて、ステップＳ２２の判定が行われる。例えば、「拡大表示画質変更」アイコン５５の「明」が押された場合には、画像表示装置１４に表示中のライブビュー表示の拡大表示の明るさを上げる。また、「拡大表示画質変更」アイコン５５の「暗」が押された場合には、画像表示装置１４に表示中のライブビュー表示の拡大表示の明るさを下げる。例えば、「拡大表示画質変更」アイコン５５の「暗」が押された場合、画像表示装置１４の表示は、図７に示すように、暗くなる。使用者は、「拡大表示画質変更」アイコン５５に触れることによって、ライブビュー表示の拡大表示の明るさを任意に変更することができる。この明るさの変更は、撮影された画像のトーンカーブを変更して明るさを増幅させたり減衰させたりする画像処理によって行われるものであってもよいし、撮影時の絞り値やシャッタスピードを変更することによって行われてもよい。ステップＳ２３の実行後、ステップＳ１２に移行する。
【００４０】
また、ステップＳ２０においてライブビュー表示を拡大表示する指示が入力されていないと判定した場合、及びステップＳ２２において拡大表示画質の変更の指示が入力されていないと判定した場合、ステップＳ１２に移行する。
【００４１】
ステップＳ１２では、撮像レンズ２の操作部材２３によるマニュアルフォーカス動作を実行する。そして、ステップＳ１２の実行後、レリーズスイッチ１２又は「撮影」アイコン５１が押されたと判定した場合（ステップＳ３０のＹＥＳ）には、ステップＳ３１において第１露出条件で撮影を実行して画像を記録媒体３４に記録し、ステップＳ０１へ戻る。また、ステップＳ１２の実行後、レリーズスイッチ１２及び「撮影」アイコン５１が押されていないと判定した場合（ステップＳ３０のＮＯ）には、ステップＳ０１へ戻る。
【００４２】
なお、ステップＳ３１の実行によって、撮影を行った場合には、撮影結果を画像表示装置１４に所定の期間だけ表示するレックビュー表示動作が行われる。ステップＳ３１で撮影した画像が、ステップＳ２３の拡大表示画質変更処理を経て撮影されたものである場合には、図８に示すように、レックビュー表示動作時に、記録した画像とともに、ステップＳ２３で拡大して表示した領域の画像を画質が変更された状態で表示する。これによって、実際に撮影した画像の中で、合焦したかった部分が、実際に合焦した状態で撮影できたかを判断可能となる。このレックビューにおいて画質が変更された画像は、記録した画像のトーンカーブを調節して得るようにしてもよいし、記録した画像に引き続いて実際に画質が変更された条件で撮影を行った結果として得るものであってもよい。また、図８に示すレックビュー表示動作中に、使用者がステップＳ２３で拡大して表示した領域の画像に触れた場合には、図９に示すように、ステップＳ２３で拡大して表示した領域の画像を全画面で表示する。この図９の状態では、画像は第１露出条件で撮影された画像を表示している。これは、使用者が、実際に撮影し記録された画像の状態と、画質が変更された状態とを混同しないようにするためである。
【００４３】
以上に説明した本実施形態のカメラ１では、画像表示装置１４に表示されるライブビュー表示を拡大して表示することができる（ステップＳ２１）。また、拡大表示中のライブビュー表示の画質を、使用者の指示に応じて変更することができる（ステップＳ２３）。そして、拡大表示中のライブビュー表示の画質が変更された場合であっても、露出条件は第１露出条件のまま変化することなく、撮影が行われる（ステップＳ３１）。
【００４４】
すなわち、本実施形態では、ライブビュー表示を拡大して表示してマニュアルフォーカス動作を行う際の表示画質（本実施形態では明るさ）を、実際に撮影に用いられる第１露出条件とは異なる状態として表示することができる。したがって、本実施形態によれば、ライブビュー表示の拡大表示を、合焦状態を確認しやすい画質に容易に変更することができ、かつこの画質の変更が撮影結果に影響を及ぼすことがないため、合焦後に素早く撮影を実施することが可能となる。このように、本実施形態では、ライブビュー表示で被写体を確認する際に、撮影される全体画像の構図を含めた色合いの確認用の露出制御と、その中でも特にピントを合わせたい被写体の確認用の露出制御があることに着目し、それらを共に満足することが出来た。特にピント合わせ時には、詳細にピントを確認するために、対象となる被写体を大きく拡大表示したい要望が強く、拡大の操作によって、この使用者が詳細なピント合わせを望んでいることを判定することが出来る。こうした工夫で、使用者は、全体の構図と色調と、一部分へのピントのこだわりを両立した操作を行うことができる。
【００４５】
なお、本実施形態では、ステップＳ２３の拡大表示画質変更処理において、拡大表示中のライブビュー表示の明るさのみを変更する形態であるが、拡大表示画質変更処理はこの形態に限られるものではない。例えば、拡大表示画質変更処理は、明るさの他に、コントラスト、色相、及び彩度の変更やエッジ強調処理等を含むものであってもよい。
【００４６】
（第２の実施形態）  
以下に、本発明の第２の実施形態を説明する。本実施形態は、カメラ１の動作が第１の実施形態と一部異なる。よって、以下では第１の実施形態との相違点のみを説明するものとし、第１の実施形態と同様の構成要素については同一の符号を付し、その説明を適宜に省略するものとする。
【００４７】
本実施形態のカメラ１の動作のフローチャートを図１０及び図１１に示す。本実施形態のカメラ１は、第１の実施形態に比して、ステップＳ２３以降の処理のみが異なる。本実施形態のカメラ１では、ステップＳ２１の実行によるライブビュー表示の拡大表示に伴い、図１２に示すように、画像表示装置１４に、「拡大表示画質変更」アイコン５５の他に、「露出補正」アイコン５６が表示される。「露出補正」アイコン５６は、第２露出条件を定めるためのものである。使用者は、「露出補正」アイコン５６を押すことによって、拡大表示中のライブビュー表示の露出条件を変更することができる。この変更された露出条件を、第２露出条件と称するものとする。
【００４８】
本実施形態では、ステップＳ２４に示すように、「露出補正」アイコン５６が押されて、露出条件を変更する指示が入力されたか否かを判定する。「露出補正」アイコン５６が押された場合には、ステップＳ２５において第２露出条件を算出する。
【００４９】
そして、ステップＳ２６において、「撮影」アイコン５１が押されたか否かを判定する。ステップＳ２６において、「撮影」アイコン５１が押されたと判定した場合には、ステップＳ２７において、第２露出条件で撮影し、拡大表示されている一部の領域のみを切り出して記録媒体３４に記録する。なお、このとき、撮影した全領域を同時に記録媒体３４に記録する形態であってもよい。
【００５０】
以上のような本実施形態では、ライブビュー表示の拡大表示を見た際に、この拡大表示した領域を撮影したくなった場合には、素早く拡大した領域についての露出条件を最適にして撮影する事ができる。その他の効果は、第１の実施形態と同様である。
【００５１】
これは、所定被写体の色合いなどにこだわった撮影する時に有効な仕様であり、背景の緑とその中の蝶々のように、両方の色合いを記録しておきたい時に有効である。このように拡大して、例えば蝶々の模様までを再現する色合いや露出にて撮影を行った末、背景の画像に合成して合成画像を作るような用途にも向いている。このような工夫で、画面の各部ごとに色合いを調整して、最終的にそれらを反映した合成画像を作るような応用が可能となる。具体的には、第２露出条件を記録しておき、レリーズ操作時に、第１露出条件と第２露出条件とで複数回の撮影を行い、いわゆるハイダイナミックレンジ（ＨＤＲ）合成と呼ばれる技術にて、２画像を合成すればよい。２画像だけでなく、複数ポイントについて、拡大しながら露出の微調整をし、その結果を記録してその結果に従って連写すれば、３枚以上の合成にも当然、応用が可能となる。具体的には、図１０のＳ３１のステップを、第１及び第２の露出条件で連写して合成するようなフローに変更すればよい。その際に、拡大した部位の露出が適用されるような合成を行う。つまり、背景の緑は第１の露出条件が反映され、拡大して確認した蝶々は第２の露出条件が反映された合成画像を作成すればよい。第１と第２の露出条件の切換えポイントが目立たないように、つなぎ目部分では、両方の結果をブレンドしたような描写とする。このような場合、カメラ１は拡大した部位を認識しているので、連写で撮影した方が、２つの画像にずれがなくなり、どこが境目かを検出しやすい。そのため、こうしたブレンドの調整も実行しやすくなるメリットがある。
【００５２】
もちろん、拡大画像は、その範囲だけを撮影する仕様にする必要はなく、拡大で確認できる部分以外の画像データを利用すれば、上記境目の問題は解消できる。なお、ここでは、拡大でピント合わせできる仕様であってもなくてもよい。これは、露出を合わせたい被写体とピントを合わせたい被写体とは異なる場合があるからである。ピント合わせをした被写体を優先して、画像合成するようにすれば、ピントにもこだわったＨＤＲ画像が作成できる。
【００５３】
（第３の実施形態）  
以下に、本発明の第３の実施形態を説明する。本実施形態は、カメラ１の動作が第１の実施形態と一部異なる。よって、以下では第１の実施形態との相違点のみを説明するものとし、第１の実施形態と同様の構成要素については同一の符号を付し、その説明を適宜に省略するものとする。
【００５４】
本実施形態のカメラ１は、動画像が撮影可能に構成されている。本実施形態のカメラ１の動作のフローチャートを図１３及び図１４に示す。
【００５５】
まずステップＳ１０１において、カメラ１の電源を切るための電源オフの指示入力がなされたか否かを判定する。ステップＳ１０１の判定において、電源オフの指示入力がなされたと判定した場合には、ステップＳ１４０に移行し、カメラ１の電源を切るための終了処理を実行する。
【００５６】
ステップＳ１０１の判定において電源オフの指示入力がなされていないと判定した場合には、ステップＳ１０２へ移行する。カメラ１は、ステップＳ１０１の判定において電源オフの指示入力がなされたとの判定が行われるまでは、以下に説明する処理を繰り返す。
【００５７】
ステップＳ１０２においては、カメラ１の動作モードとして、動画撮影動作モードを指定する指示が入力されているか否かを判定する。ステップＳ１０２において、動画撮影動作モードが指定されていないと判定した場合には、ステップＳ１４１に移行し、記録した静止画像及び動画像を画像表示装置１４に表示する、再生動作を実行する。
【００５８】
一方、ステップＳ１０２において、カメラ１の動作モードとして動画撮影動作モードが指定されていると判定した場合には、ステップＳ１０３へ移行する。ステップＳ１０３では、カメラ本体１０と撮像レンズ２との通信を行い、撮像レンズ２の焦点距離等の情報を取得する。
【００５９】
次に、ステップＳ１０４において、ライブビュー表示動作を開始する。そして、ステップＳ１０５において、撮像素子からの画像信号や撮像レンズ２の情報等に基づいて、シャッタ速度、絞り値、感度及びホワイトバランス等の第１露出条件を算出する。また、ステップＳ１０５の実行により、画像表示装置１４に表示されるライブビュー表示は、第１露出条件の算出結果に応じた適正な露出のものに変更される。
【００６０】
次に、ステップＳ１１０では、ライブビュー表示を縮小表示する指示が入力されたか否かを判定する。ステップＳ１０の判定において、ライブビュー表示を縮小表示する指示が入力されたと判定した場合には、ステップＳ１１１へ移行し、画像表示装置１４に表示するライブビュー表示の倍率を最低にしてカメラ１の視野の全体を表示させる。なお、既に縮小表示状態である場合には、ステップＳ１１１が実行されても画像表示装置１４の表示は変化しない。
【００６１】
次に、ステップＳ１３０において、動画像の撮影中であるか否かを判定する。動画像の撮影中である場合には、ステップＳ１３１及びステップＳ１３２をスキップする。動画像の撮影中でない場合には、ステップＳ１３１において、動画像の撮影開始指示が入力されたか否かを判定する。ステップＳ１３１の判定において、動画像の撮影開始指示が入力されていないと判定した場合には、ステップＳ１０１に戻る。また、ステップＳ１３１の判定において、動画像の撮影開始指示が入力されたと判定した場合には、ステップＳ１３２へ移行し、第１露出条件にて動画像の撮影を開始する。
【００６２】
そして、撮影の停止指示が入力されるまでは、動画像の撮影動作を継続する。動画像の撮影の停止指示が入力された場合（ステップＳ１３３のＹＥＳ）には、動画像の撮影動作を停止し、動画像を記録媒体３４に記録する。
【００６３】
一方、ステップＳ１１０の判定において、ライブビュー表示を縮小表示する指示が入力されていないと判定した場合には、ステップＳ１２０へ移行し、画像表示装置１４に表示するライブビュー表示を拡大表示する指示が入力されたか否かを判定する。
【００６４】
ステップＳ１２０の判定において、ライブビュー表示を拡大表示する指示が入力されたと判定した場合には、ステップＳ１２１へ移行し、画像表示装置１４に表示するライブビュー表示の倍率を上げて、カメラ１の視野内の特定の拡大表示領域５４を拡大して表示させる。なお、拡大表示領域５４内に、例えば人や動物の顔等の画像処理部３２のパターンマッチング処理によって認識可能なものが存在する場合には、拡大表示領域５４は、これを追尾して移動する。
【００６５】
ステップＳ１２１の実行後、ステップＳ１２２において、「拡大表示画質変更」アイコン５５が押されたか否かに基づいて、拡大表示画質の変更を指示する入力がなされたか否かを判定する。
【００６６】
ステップＳ１２２において、「拡大表示画質変更」アイコン５５が押され、拡大表示画質の変更を指示する入力がなされたと判定した場合には、ステップＳ１２３において、画像表示装置１４に表示中のライブビュー表示の拡大表示について、指示に応じた画質の変更を実施する。本実施形態では、拡大画像の明るさを変更する。この拡大表示画質変更処理後の拡大画像の露出条件を第２露出条件と称するものとする。ステップＳ１２３の実行後、ステップＳ１２４に移行する。
【００６７】
また、ステップＳ１２０においてライブビュー表示を拡大表示する指示が入力されていないと判定した場合、及びステップＳ１２２において拡大表示画質の変更の指示が入力されていないと判定した場合、ステップＳ１２４に移行する。
【００６８】
ステップＳ１２４では、「撮影」アイコン５１が押されたか否かを判定する。ステップＳ１２４において、「撮影」アイコン５１が押されたと判定した場合には、ステップＳ１２５において、画面遷移処理を実行する。ここで、画面遷移処理とは、ズーミングレンズ２１ｃを移動させる光学ズーム及び／又は視野の一部の領域を切り出すデジタルズームを用いて、カメラ１の視野を、それまでの状態から、ステップＳ１２１で拡大した領域にまで徐々に変化させる。また、画面遷移処理では、露出条件も、それまでの第１露出条件から第２露出条件へと徐々に変化させる。
【００６９】
このように、本実施形態では、一般の使用者には困難であった、画面を切換えながらの動画撮影を簡単に行うことが出来るカメラを提供できる。このようにして拡大して確認した画像部分を撮影する動画を部分動画と呼ぶ。この時、スムーズな露出制御や画角変化に関しては、使用者は関与する必要なく、カメラ１が露出条件や画面切出し範囲を徐々に変更するようにするので、使用者は単に、色合いやコントラストなどの調整に注力すればよい。この時は、拡大画面でピントまで確認して調整できてもよいし、できなくともよいが、ピントを変えてしまうと全体画像に影響するので、動画が乱れないように、ゆっくり変化するように工夫してもよい。
【００７０】
以上のような本実施形態では、動画撮影中にライブビュー表示の拡大表示を見た際に、この拡大表示した領域を撮影したくなった場合には、動画撮影の視野が拡大表示領域と同等となるように、自動的にズーム動作が行われる。また、このズーム動作に伴って、露出条件も拡大表示時のものに遷移するため、ズーム動作後に露出が大きく外れてしまうことを防止できる。以上のように、本実施形態によれば、ズームを使用した効果的な演出を用いた動画撮影を容易に実行することが可能となる。
【００７１】
なお、本発明は、上述した実施形態に限られるものではなく、特許請求の範囲及び明細書全体から読み取れる発明の要旨或いは思想に反しない範囲で適宜変更可能であり、そのような変更を伴うカメラもまた本発明の技術的範囲に含まれるものである。
【００７２】
本発明に係るカメラは、上述の実施形態で説明したカメラとして独立した形態に限らず、録音機器、携帯通信端末、ゲーム機、デジタルメディアプレーヤー、時計、ナビゲーション装置等の電子機器に撮影機能を実現する構成として搭載された画像を撮影する機能を有する装置であってもよいことは言うまでもない。
【産業上の利用可能性】
【００７３】
前述のように、本発明は、画像表示装置にライブビュー表示が可能なカメラに対して好適である。
【符号の説明】
【００７４】
１    カメラ、
２    撮像レンズ、
１０    カメラ本体、
１１    撮像素子、
１２    レリーズスイッチ、
１３    操作部材、
１４    画像表示装置、
１５    タッチパネル、
１６    電子ビューファインダ、
１７    近接センサ、
２１    撮像光学系部材、
２１ａ    可変絞り、
２１ｂ    フォーカシングレンズ、
２１ｃ    ズーミングレンズ、
２２    レンズ・絞り駆動制御部、
２３    操作部材、
２４    通信部、
３１    制御部、
３２    画像処理部、
３３    表示制御部、
３４    記録媒体、
３６    拡大表示用露出制御部、
５１    撮影アイコン、
５２    拡大アイコン、
５３    縮小アイコン、
５４    拡大表示領域、
５５    拡大表示画質変更アイコン、
５６    露出補正アイコン。
【図１】
0005931480.tif 000002
【図２】
0005931480.tif 000003
【図３】
0005931480.tif 000004
【図４】
0005931480.tif 000005
【図５】
0005931480.tif 000006
【図６】
0005931480.tif 000007
【図７】
0005931480.tif 000008
【図８】
0005931480.tif 000009
【図９】
0005931480.tif 000010
【図１０】
0005931480.tif 000011
【図１１】
0005931480.tif 000012
【図１２】
0005931480.tif 000013
【図１３】
0005931480.tif 000014
【図１４】
0005931480.tif 000015